(57)【要約】【課題】写経の経文に代えて名号を書き写すことにより、書き写し作業を簡易化し、かつ用紙を小型化し、社寺への郵送や社寺での保管の際の取扱を容易にし、もって一般人による家庭からの奉納を容易にする。【解決手段】短冊状の紙片に名号を印刷した名号下敷き１０、この名号下敷きの上に重ねて名号を透かし、墨筆等で書き写すことが可能な名号札２０、写納者の氏名、住所、写納日および写納数等の記入欄が印刷された写納票３０、写納先の宛名と住所が印刷された写納用封筒、並びに名号下敷き１０、名号札２０、写納票３０および写納用封筒を収める封筒形の収納袋からなり、名号下敷き１０および名号札２０が等しい大きさの短冊状に形成され、写納票３０が名号札２０を覆う大きさに形成され、写納用封筒が写納票３０を畳まずに収容できる大きさに形成され、収納袋が写納用封筒を畳まずに収容できる大きさに形成される。【選択図】      図１
0003113211.tif 000002
【実用新案登録請求の範囲】
【請求項１】
短冊状の紙片に名号を印刷してなる名号下敷き、この名号下敷きの上に重ねて名号を透かして見ながら墨筆、ボールペン等で書き写すことが可能な１枚もしくは複数枚の名号札、この名号札に名号を書き写して社寺に奉納する写納者の氏名、住所、写納日および写納数等の記入欄が印刷された写納票、写納先の宛名および住所が印刷された写納用封筒、並びに上記の名号下敷き、名号札、写納票および写納用封筒を収めた封筒形の収納袋からなり、上記の名号下敷きおよび名号札が等しい大きさの短冊状に形成され、上記の写納票が名号札を覆う大きさに形成され、上記の写納用封筒が写納票を畳まずに収容できる大きさに形成され、上記の収納袋が写納用封筒を畳まずに収容できる大きさに形成されていることを特徴とする名号写納セット。
【請求項２】
写納用封筒が定形郵便物の大きさに形成されている請求項１に記載の名号写納セット。
【請求項３】
収納袋が衣服のポケットに入る大きさに形成されている請求項１または２に記載の名号写納セット。
【考案の詳細な説明】
【技術分野】
【０００１】
この考案は、神仏や菩薩の名である名号の書写しを通して神仏への畏敬を含む祈りの心を深めるため、上記名号を書写して社寺に奉納するのに用いる短冊状の札およびそのお手本として使用可能な下敷き等からなる名号写納セットに関するものである。
【背景技術】
【０００２】
経文を墨筆で書き写し、得られた経文を寺院に奉納して仏の功徳を求めたり、先祖を供養したりする写経は、昔から行われている。そして、この写経を容易にするものとして、経文が印刷された下敷きと、この下敷きの上に重ねて経文を透かして見ることが可能な写経用紙とをセットにしたものが知られている。しかしながら、経文は一般に漢字のみで書かれており、字数が最も少ないとされる般若心経でも２６０字を超え、しかも写経は筆と墨を用いて書き写す作業で、長時間を必要とするため、写経の普及は十分でなかった。また、従来の写経は、上記のように経文を書き写すものであり、用紙に習字用半紙以上の大きさを必要とするため、家庭で写経して寺院に郵送したり、寺院が受け取って保管したりする際の取扱が困難であった。
【０００３】
一方、経文またはその一部、例えば南無阿弥陀仏という名号を紙に表示して死者の冥福を祈り、親族の気持ちを形に表すものとして、折り紙の表面または両面に上記の名号その他を表示した葬儀用折り紙が下記の特許文献１によって知られている。しかし、この場合は、死者を葬送する親族等が上記の折り紙で鶴や舟を折って棺に入れ、死者の冥福を祈るものであり、写経のように祈りの当事者本人が墨筆で書くものではなく、また寺院や神社に奉納して功徳を願い、供養するものでもなかった。
【特許文献１】特開２００３−２２５１５６号公報
【考案の開示】
【考案が解決しようとする課題】
【０００４】
この考案は、写経の経文に代えて仏や菩薩の名である名号を書き写すことにより、信仰対象の書き写し作業を簡易化し、かつ用紙を小型化するなどして社寺への郵送や社寺での保管の際の取扱を容易にし、もって一般人による家庭からの写納を容易にし、祈りの心や宗教心の普及を図るものである。
【課題を解決するための手段】
【０００５】
この考案に係る名号写納セットは、短冊状の紙片に名号を印刷してなる名号下敷き、この名号下敷きの上に重ねて名号を透かして見ながら墨筆、ボールペン等で書き写すことが可能な名号札、この名号札に名号を書き写して社寺に奉納する写納者の氏名や住所、写納日、写納数等の記入欄が印刷された写納票、写納先の宛名と住所が印刷された写納用封筒、並びに上記の名号下敷き、名号札、写納票および写納用封筒を収める封筒形の収納袋からなり、上記の名号下敷きおよび名号札が等しい大きさの短冊状に形成され、上記の写納票が名号札を覆う大きさに形成され、上記の写納用封筒が写納票を畳まずに収容できる大きさに形成され、上記の収納袋が写納用封筒を畳まずに収容できる大きさに形成される。
【０００６】
この名号写納セットでは、その収納袋から名号下敷き、名号札、写納票および写納用封筒を取出し、名号下敷きの上に名号札を重ね、透けて見える名号、例えば南無阿弥陀仏や鶴岡八幡宮などを墨筆、ボールペンその他で書き写し、写納票の氏名や住所、写納日、写納数等の各記入欄の空白を埋めた後、この名号札および写納票を重ねて写納用封筒に入れ、その表面に郵便切手を貼り、郵便局に差し出すことにより、奉納すなわち写納が行なわれる。なお、郵送料は寺社側の着払いとしてもよい。そして、上記の写納用封筒を受け取った寺院や神社では、名号札に写納票が添付されており、この写納票に写納者の氏名その他が記入されているため、これらを用いて名号札を整理、保管することができる。なお、上記の名号としては、上記の南無阿弥陀仏や鶴岡八幡宮のほかに南無妙法蓮華経、南無釈迦牟尼仏、南無観世音菩薩、天照皇大神宮など、信仰対象としての神仏、菩薩、明王および寺社の名を用いることもできる。
【０００７】
ここで、上記の名号下敷きおよび名号札は、等しい大きさの短冊状のものであり、上記の写納票が名号札を覆う大きさに、また写納用封筒が写納票を畳まずに収容できる大きさに、また収納袋が写納用封筒を畳まずに収容できる大きさにそれぞれ形成されているため、この収容袋に名号下敷き、名号札、写納票および写納用封筒を重ねて入れた場合、名号下敷き、名号札および写納票が容易に折れたり曲がったりすることがない。また、名号札に名号を書き写し、写納票に必要事項を記入した後、名号札と写納票を重ねて写納用封筒に入れた際にも名号札や写納票が折れたり、曲がったりすることがない。そして、名号の書き写しに際し、名号下敷きの上に名号札を重ねたとき、両者の上下左右が揃うため、文字の配置を考慮せずに、透視された名号を書き写すことができる。
【０００８】
上記の写納用封筒において、その大きさは任意であるが、定形郵便物の大きさであることが好ましく、特に横寸法を定形郵便物で最小の９０mm程度、縦寸法を１５０mm程度とすることが好ましく、この場合は名号札１０枚と写納票を入れた場合の全重量を２５ｇ以下とすることができ、また写納票および名号札の大きさも手頃な大きさとなり、名号の書き写し、写納票の記入が容易になる。また、収納袋の大きさも任意であるが、衣服のポケットに入る程度が好ましく、特に上記最小の定形郵便物の大きさよりも一回り大きくて該定形郵便物の大きさの写納用封筒を収容できる程度が好ましく、この場合は携帯が容易である。
【考案の効果】
【０００９】
この考案に係る名号写納セットは、名号下敷きの上に名号札を重ね、透けて見える名号すなわち５字ないし１０字程度の文字を書き写すようにしたものであるから、従来の写経に比べ、労力が大幅に削減される。また、上記の書き写しに際し、文字の配置を考慮する必要がなく、また上記の書き写し後、写納票に氏名や住所その他を記入した後、名号札および写納票を重ねて写納用封筒に入れ、その表面に郵便切手を貼り、また寺社側の着払いとなっている場合はそのまま郵便局に差し出すことにより、写納が行なわれ、上記の写納用封筒を受け取った寺院や神社では、封筒から取り出した写納票の記入事項を用いて名号札を整理、保管することができる。また、名号札は短冊状のもので、写経用紙に比べて著しく小さいため、上記の郵送および保管が容易であり、郵送や携帯により名号札その他が折れたり曲がったりすることがない。特に請求項２に係る考案は、名号の書き写し、写納票の記入が一層容易になる。また、請求項３に係る考案は、携帯が更に容易となる。
【考案を実施するための最良の形態】
【００１０】
図１において、１０は名号下敷き、２０は名号札、３０は写納票であり、名号下敷き１０と名号札２０は、互いに同じ大きさの短冊状に形成され、寸法は両者とも横寸法が４２mm、縦寸法が１４５mmに設定されている。そして、名号下敷き１０には、中央に名号１１として「南無阿弥陀仏」の６文字が縦１列に大きく印刷され、その上と下に絵模様１２、１３が印刷され、右側に「年」、「月」、「日」及び「書写」の小文字が縦１列に印刷されて、書写日記入欄１４が形成され、反対の左側に、「ご芳名」および「歳」の小文字が上下に離れて印刷されて、写納者の氏名年齢記入欄１５が形成されている。
【００１１】
名号札２０は、上記名号下敷き１０の文字が透けて見え、かつ墨筆で文字を書くことができる和紙からなる短冊で、その上下左右に上記名号下敷き１０の絵模様１２、１３、書写日記入欄１４および氏名年齢記入欄１５と同じ絵模様２２、２３、書写日記入欄２４および氏名年齢記入欄２５が、名号下敷き１０と同じ配置で印刷され、中央に名号下敷き１０の名号１１を書き写すことが出来る空欄２１が残されている。
【００１２】
写納票３０は、上記の名号下敷き１０や名号札２０を覆う大きさに形成され、その寸法は、横寸法が６５mm、縦寸法が１４５mmに設定されている。そして、上端に題目の文字「写納票」が横１列に印刷され、その下方に罫引きした縦３列の表３１が印刷され、その右列３２が写納者の住所、郵便番号、電話番号を記入するための住所記入欄に形成され、その中央列３３が写納者の氏名、性別および年齢を記入するための氏名記入欄に形成され、その左列が上下２段に区分され、上段３４が写納数、すなわち名号を書き写した名号札２０の枚数（札数）を記入するための写納数欄に形成され、下段３５が任意の通信事項を記載するための通信欄に形成されている。そして、この実施形態では、上記表３１の下部に写納日を記入するための写納日欄３６および整理のための区分と番号を記入するための区分・番号欄３７が上下２段に設けられている。
【００１３】
上記の名号下敷き１０は、その１枚につき複数枚、例えば１０札の名号札２０、１枚の写納票３０および１枚の写納用封筒（図示されていない）と共に所定の収納袋（図示されていない）に収納されて１組の名号写納セットを構成する。なお、上記の収納袋には、上記の名号下敷き１０、名号札２０、写納票３０および写納用封筒に加え、名号の意味や解説を含めた写納の趣旨、写納する際の作法、方法等を印刷した説明書を添付することができる。
【００１４】
上記の写納用封筒には、写納先寺社の宛名および住所が印刷されるが、その大きさは、上記の写納票３０を折らずに収納できる大きさで、かつ定形郵便物の寸法とするのが好ましく、特に定形郵便物としての最小寸法である横寸法９０mm、縦寸法１５０mmが好ましい。そして、名号札２０、写納票３０および写納用封筒の紙質は、名号札２０の１０札、写納票３０の１枚および写納用封筒の１枚の合計重量が２５ｇ以下となる程度が好ましい。また、上記の収納袋は、表面に名号写納セットの文字と共に寺社名が印刷されるが、その大きさは、上記写納用封筒を折らずに入れられる大きさで、衣服のポケットに入る大きさ、例えば最小の定形郵便物よりも一回り大きい寸法９５mm×１５５mm程度が好ましい。
【図面の簡単な説明】
【００１５】
【図１】名号下敷き、名号札および写納票の表面図である。
【符号の説明】
【００１６】
１０：名号下敷き
１１：名号、１２、１３、２２、２３：絵模様
１４、２４：書写日記入欄、１５、２５：氏名年齢記入欄
２０：名号札
２１：空欄
３０：写納票
３１：表、３２：住所記入欄、３３：氏名記入欄
３４：写納数欄、３６：写納日欄、３７：区分・番号欄
【図１】
0003113211.tif 000003